(57)【要約】【課題】  構造物の屋上面などに部分的にシート防水層が固定された際、強風時に作用する負圧によりシート防水層が繰り返し持ち上げられる場合であっても、シート防水層の固定金具からの剥離やシート防水層の損傷を防ぐことができ、長期に亘り防水性能を維持することができ、しかも、美観に優れ、施工や材料にかかるコストも低減できるシート防水固定構造を提供する。【解決手段】  構造物９と固定金具２の間に、その固定金具２の外周より張り出す態様で接合シート４を設け、固定アンカー３により接合シート４と固定金具２を固定し、その後敷設されるシート防水層１を固定金具２より張り出した接合シート４の外周部４ａと接合する。【選択図】図２
2008297781.tif 000002
【特許請求の範囲】
【請求項１】
構造物に部分的にシート防水層を固定してなすシート防水固定構造であって、構造物と固定金具の間に、その固定金具の外周より張り出す態様で接合シートを設け、固定アンカーにより接合シートと固定金具を固定し、その後敷設されるシート防水層を固定金具より張り出した接合シートの外周部と接合することを特徴とするシート防水固定構造。
【請求項２】
構造物に部分的にシート防水層を固定してなすシート防水固定構造であって、構造物と固定金具の間に、その固定金具の外周より張り出す態様で補強シートを設けるとともに、補強シートと構造物の間に、その補強シートの外周より張り出す態様で接合シートを設け、固定アンカーにより接合シート、補強シート、および固定金具を固定し、その後敷設されるシート防水層を補強シートより張り出した接合シートの外周部と接合することを特徴とするシート防水固定構造。
【請求項３】
前記シート防水層をさらに固定金具と接合することを特徴とする請求項１または請求項２に記載のシート防水固定構造。
【請求項４】
前記接合シートの厚さをシート防水層の厚さより厚くすることを特徴とする請求項１〜請求項３のいずれかに記載のシート防水固定構造。
【請求項５】
前記接合シートの中間に補強繊維層を介在させることを特徴とする請求項１〜請求項４のいずれかに記載のシート防水固定構造。
【発明の詳細な説明】
【技術分野】
【０００１】
この発明は構造物に部分的にシート防水層を固定してなすシート防水固定構造に関する。
【背景技術】
【０００２】
構造物の被防水施工面には、シート防水層と同材質の樹脂被覆面やホットメルト系接着剤塗布面を有する平面円形の固定金具を複数配置し、それらを固定アンカーにより固定し、その上から防水シートなどのシート防水層を設け、固定金具とシート防水層を接着、溶着、または高周波誘導加熱による熱融着により、接合してなされるシート防水施工法が採用されている。
【０００３】
このシート防水施工法により得られたシート防水固定構造は、シート防水層が部分的に固定金具に固定された構成であるため、構造物の屋上面などに施工された場合には、例えば図１３に示すように、強風時に作用する負圧によりシート防水層１が持ち上げられ、固定している固定金具２の端部と、そこに接合されたシート防水層１の接合部分に集中応力や剥離の力が発生することがあり、そのような力が繰り返し加わるとシート防水層１が固定金具２の端部から剥離し、またはシート防水層１そのものが亀裂または損傷し、最終的に防水性能が損なわれることがあった。これらの不具合は、施工技能や施工管理の不足により固定金具２とシート防水層１との部分的な接合不良部が生じた場合にはとくに発生しやすくなる。
【０００４】
そこで、構造物に固定する固定金具の固定箇所数を増加させる、シート防水層自体の厚みを厚くする、シート防水層の中間層に補強繊維を介在させその繊維密度を密にして防水層自体の強度向上をはかるなどの対策がなされていた。しかしこのような対策は、工期が余分にかかる、材料自体がコストアップとなるなどの弊害がある。
【０００５】
一方、シート防水施工法における他のシート防水固定構造として、構造物へシート防水層を敷設した後に固定金具を所定箇所に配置し、それらを固定アンカーにより固定することによりなす固定構造が知られている。（特許文献１  実公平０２―３３５３９）
【０００６】
しかし、この構造は、固定部分の風圧に対する強度は高いものの、シート防水層は固定アンカー部により貫通された状態にあり、この部分からの漏水が懸念されることから、固定金具固定後に、上面に貫通部分を塞ぐための補助シートを覆って増し貼りを行う必要があり、そうした場合には、施工や材料にかかるコストが余分にかかり、また固定金具を覆う補助シートも外観上、非常に見苦しいという問題があった。
【特許文献１】実公平０２―３３５３９
【発明の開示】
【発明が解決しようとする課題】
【０００７】
そこで本発明は、上記の問題に鑑み、構造物に部分的にシート防水層を固定してなすシート防水固定構造であって、構造物の屋上面などに敷設され、強風時にシート防水層に作用する負圧によりシート防水層が繰り返し持ち上げられる場合であっても、シート防水層の固定金具からの剥離やシート防水層の損傷を防ぐことができ、長期に亘り防水性能を維持することができ、しかも、美観に優れ、施工や材料にかかるコストも低減できるシート防水固定構造を提供することを目的とする。
【課題を解決するための手段】
【０００８】
発明者は、上記課題を解決するために、構造物と固定金具の間に、その固定金具の外周より張り出す態様で接合シートを設け、固定アンカーによりこれらを固定し、その後敷設されるシート防水層を固定金具より張り出した接合シートの外周部と接合することにより、強風時にシート防水層に作用する負圧によりシート防水層が繰り返し持ち上げられる場合であっても、シート防水層の固定金具からの剥離やシート防水層の損傷を防ぐことができ、長期に亘り防水性能を維持することができ、しかも、美観に優れ、施工や材料にかかるコストも低減できるシート防水固定構造となり得ることを見出した。
【０００９】
すなわち、請求項１にかかる発明は、構造物に部分的にシート防水層を固定してなすシート防水固定構造であって、構造物と固定金具の間に、その固定金具の外周より張り出す態様で接合シートを設け、固定アンカーにより接合シートと固定金具を固定し、その後敷設されるシート防水層を固定金具より張り出した接合シートの固定金具より張り出した接合シートの外周部と接合することを特徴とするシート防水固定構造を要旨とする。
【００１０】
また、発明者は、構造物と固定金具の間に、固定金具の外周より張り出す態様で補強シートを設けるとともに、補強シートと構造物の間に、その補強シートの外周より張り出す態様で接合シートを設け、固定アンカーによりこれらを固定し、その後敷設されるシート防水層を補強シートより張り出した接合シートの外周部と接合することにより、さらに確実にシート防水層の損傷を防ぐことのできるシート防水固定構造になり得ることを見出した。
【００１１】
すなわち、請求項２にかかる発明は、構造物に部分的にシート防水層を固定してなすシート防水固定構造であって、構造物と固定金具の間に、その固定金具の外周より張り出す態様で補強シートを設けるとともに、補強シートと構造物の間に、その補強シートの外周より張り出す態様で接合シートを設け、固定アンカーにより接合シート、補強シート、および固定金具を固定し、その後敷設されるシート防水層を補強シートより張り出した接合シートの外周部と接合することを特徴とするシート防水固定構造を要旨とする。
【００１２】
請求項３にかかる発明は、前記シート防水層をさらに固定金具と接合することを特徴とする請求項１または請求項２に記載のシート防水固定構造を要旨とする。
【００１３】
請求項４にかかる発明は、前記接合シートの厚さをシート防水層の厚さより厚くすることを特徴とする請求項１〜請求項３のいずれかに記載のシート防水固定構造を要旨とする。
【００１４】
請求項５にかかる発明は、前記接合シートの中間に補強繊維層を介在させることを特徴とする請求項１〜請求項４のいずれかに記載のシート防水固定構造を要旨とする。
【発明の効果】
【００１５】
請求項１にかかる発明によれば、部分的に固定されたシート防水層が風圧により持ち上げられ、シート防水層と、固定金具より張り出した接合シートの外周部との接合部に繰返し応力がかかった場合でも、その接合部がシート面どうしで接合されているため、その部分にはせん断力こそかかるものの剥離を引き起こす剥離応力がほとんど発生することがなく、例え施工技能不足により接合部に部分的な接合不良が生じていた場合であっても、シート防水層が剥離まで至ることなく、長期にわたり防水性能を維持することができるといった効果がある。
【００１６】
また、シート防水層と、固定金具より張り出した接合シートの外周部との接合部は、溶着、接着、粘着、または熱融着ができる程度の大きさで効果が得られるため、従来技術におけるシート防水層全体の厚みを厚くする、またシート防水層の中間層の補強繊維を密にして防水層自体の強度向上をはかるなどといった大掛かりな対策を不要とし、施工や材料におけるコストアップを防ぎ、経済性に優れるといった効果がある。
【００１７】
また、シート防水層の敷設後には接合シートは完全に覆われた状態となるため、従来の増し貼り施工方法のように補助シートがシート防水層の上に露出した状態になることがなく、防水施工面の美観を向上させることができるといった効果がある。
【００１８】
請求項２にかかる発明によれば、部分的に固定されたシート防水層が風圧により持ち上げられ、シート防水層と、補強シートより張り出した接合シートの外周部との接合部に繰返し応力がかかった場合でも、その接合部がシート面どうしで接合されているため、その部分にはせん断力こそかかるものの剥離を引き起こす剥離応力がほとんど発生することがなく、例え施工技能不足により接合部に部分的な接合不良が生じていた場合であっても、シート防水層が剥離まで至ることなく、長期にわたり防水性能を維持することができるといった効果がある。
【００１９】
また  シート防水層と、補強シートより張り出した接合シートの外周部との接合部は、溶着、接着、粘着、または熱融着ができる程度の大きさで効果が得られるため、従来技術におけるシート防水層全体の厚みを厚くする、またシート防水層の中間層の補強繊維を密にして防水層自体の強度向上をはかるなどといった大掛かりな対策を不要とし、施工や材料におけるコストアップを防ぎ、経済性に優れるといった効果がある。
【００２０】
また、シート防水層の敷設後には、接合シートおよび補強シートは完全に覆われた状態となるため、従来の増し貼り施工方法のように補助シートがシート防水層の上に露出した状態になることがなく、防水施工面の美観を向上させることができるといった効果がある。
【００２１】
さらに、接合シートと固定金具の間に、固定金具の外周より張り出す態様で補強シートが設けられているため、シート防水層が風圧により持ち上げられ、それに伴い接合シートが固定金具の端部に対応する箇所を押し付ける状態になった場合でも、補強シートが固定金具と接合シートの間に介在して緩衝材としての役割を果たすことから、当該箇所での接合シートの損傷や亀裂の発生を確実に防止することができ、そのシート防水固定構造はより長期にわたり防水性能を維持することができるといった効果がある。
【００２２】
請求項３にかかる発明によれば、請求項１または請求項２の構造において、さらにシート防水層が固定金具にも接合されることになるため、シート防水層はより強固な構造となり、シート防水層の剥離を確実に防止することができるといった効果がある。
【００２３】
請求項４および請求項５にかかる発明によれば、接合シートの厚みをシート防水層の厚さより厚くする、または／および接合シートを中間に補強繊維層を介在させることにより、接合シート自体の強度をより向上させることができ、さらにシート防水層の剥離を防止できるシート防水固定構造となる。
【発明を実施するための最良の形態】
【００２４】
以下、本発明の実施形態を図に基づいて説明する。
【００２５】
図１は本発明の第１の実施形態を説明するための斜視図であり、図２は図１のＡ−Ａ線断面図である。
【００２６】
本発明にかかる第１の実施形態では、図２に示すように、構造物９と固定金具２の間に、その固定金具２の外周より張り出す態様で接合シート４が設けられ、固定アンカー３により接合シート４と固定金具２が固定され、その後敷設されたシート防水層１が固定金具２より張り出した接合シート４の外周部４ａと接合されている。なお接合部はＳで表記している。
【００２７】
固定金具２は、鋼板、ステンレス、アルミニウムなどの金属薄板に固定アンカー３固定用の挿入孔を設けた金具である。同図では平面円形のものを図示しているが、このような形状に制限されることなく、例えば矩形、多角形状、帯状のものであってもよい。断面形状はとくに制限はないが、好ましい形状は、例えば図３に示すように、固定金具２の構造物９側の面（下面）の端部Ｔが角のないアール形状に折り曲げまたは切削形成されたものである。このようなアール形状とすることにより、シート防水層１が風圧により持ち上げられ、それに伴い接合シート４が、固定金具２の端部Ｔ付近を押し付けた状態になったとしても、その接合シート４の当接部に傷が付くのを防止することができるといった効果がある。
【００２８】
固定金具２は金属薄板単独で構成されてもよいが、金属薄板の少なくとも片面にシート防水層１と同材質の樹脂被覆面や、ホットメルト系接着剤が形成されたものが好ましい。
【００２９】
接合シート４は、固定金具２と構造物９との間に設けられるものであって、固定金具２より大きな輪郭で、その外周部が外側に張り出した状態となるように形成されるものである。この接合シート４はシート防水層１と接着、溶着、粘着、または熱融着が可能な材質からなり、合成高分子、好ましくは軟質からなる合成樹脂、さらに好ましくは接合対象となるシート防水層１と同材質からなるものである。すなわち合成高分子または合成樹脂とすることにより、シート防水層１と接合された部分が可撓性を有し、シート防水層１が持ち上げられた際にも剥離応力が分散され、より剥離が生じにくいものとなり、またシート防水層１と同材質のものとすることにより、シート防水層１との接合力が一段と向上したものとなる。
【００３０】
接合シート４の厚さは、強度を確保する観点から少なくとも０．１ｍｍ以上、好ましくは０．５ｍｍ以上とするのが好ましく、とくにシート防水層１の厚さより厚くしたものであるのが好ましい。具体的にはシート防水層１に対して１．３倍〜２倍ほどの厚さとするのが好ましい。図４には、接合シート４の厚さをシート防水層１の厚さより厚くした場合の断面図を示している。このような厚さ構成にすることにより、接合シート４の強度が向上したものとなり、得られたシート防水固定構造はとくに強固なものとなる。
【００３１】
また本発明では、接合シート４の中間に補強繊維層を介在させることが好ましい。補強繊維層としては、ポリエステルなどの合成樹脂製繊維やガラスなどの無機繊維があげられ、形状としてはネット、織布、不織布からなるものをあげることができる。図５には接合シート４の中間にポリエステル繊維からなるネットが介在された場合の断面図を示している。このような層構成にすることにより、接合シート４の厚さを大きく増さずとも、接合シート４自体の強度を向上させることができ、得られたシート防水固定構造は強固なものとなる。
【００３２】
本発明のシート防水固定構造を得るに当っては、接合シート４を被防水施工面の所要箇所に配置するとともに、その上に重ねて固定金具２を配置し、それらを固定アンカー３により構造物９に固定させる。ここで固定アンカー３としては、釘、ネジ、ビスなどがあげられる。
【００３３】
このとき固定金具２は、接合シート４の表面略中央に接合シート４の外周部４ａが張り出された状態になるように配置する。すなわち、このときに張り出される外周部４ａがシート防水層１との接合代となる。接合代は、接着、溶着、粘着、または熱融着が可能なほどの大きさであればよく、具体的には固定金具２の端部先端から接合シート４の外周部４ａの端部先端までの最短長さを１ｃｍ以上とすればよい。さらに好ましくは１ｃｍ〜１０ｃｍとすればよい。
【００３４】
固定アンカー３により接合シート４と固定金具２が固定された後には、その上を覆ってシート防水層１が敷設され、固定金具２より張り出した接合シート４の外周部４ａと接合されて、第１の実施形態のシート防水固定構造が得られる。
【００３５】
シート防水層１は、シート防水施工法で用いられる防水シートからなる層であり、合成高分子製の防水シートからなる層が適用される。防水シートとしては、ポリ塩化ビニル系樹脂製シート、オレフィン系樹脂製シート、ゴム系シートなどがあげられ、これら防水シートの中間には補強繊維層が介在されることが好ましい。
【００３６】
シート防水層１と接合シート４との接合は、溶剤を用いた溶着、接着剤を用いた接着、粘着剤を用いた粘着の他、固定金具２上面に予めホットメルト系接着剤層を塗布しておいた場合では、高周波誘導加熱による熱融着があげられる。
【００３７】
また、本発明では図６に示すように、シート防水層１と、固定金具２より張り出した接合シート４の外周部４ａとの重なり部に加えて、シート防水層１と固定金具２との重なり部も接合部Ｓとすることが好ましい。
【００３８】
さらにまた、本発明では図７に示すように、シート防水層１と重なり合う固定金具２および外周部４ａの表面全体にわたる箇所を接合部Ｓとすることが好ましい。
【００３９】
すなわち、このように接合部Ｓの面積を増やすことにより、シート防水固定構造は、より強固な構造となり、シート防水層１の剥離を確実に防止することができるものとなる。
【００４０】
このようにして得られたシート防水固定構造は、図８に示すように、固定金具２より張り出した接合シート４の外周部４ａとシート防水層１とが接合されたことにより、シート防水層１が部分的に風圧により持ち上げられ、または膨らんだ状態になった場合でも、その接合部Ｓにはせん断力こそかかるものの剥離を引き起こす剥離応力がほとんど発生することがなく、例え施工技能不足によりこれら接合部Ｓの一部に部分的な接合不良が生じていた場合であっても、接合部Ｓが剥離するまで至ることがなく、長期にわたり防水性能を維持することができるといった効果がある。
【００４１】
また、外周部４ａは、溶着、接着、粘着、または熱融着ができる程度の大きさでよく、従来技術におけるシート防水層１全体の厚みを厚くする、またシート防水層１の中間層の補強繊維を密にして防水層自体の強度向上をはかるなどといった大掛かりな対策を不要とし、施工や材料におけるコストアップを防ぎ、経済性に優れるといった効果がある。
【００４２】
また、シート防水層１の敷設後には接合シート４は完全に覆われた状態となるため、従来の増し貼り施工方法のように補助シートがシート防水層１の上に露出した状態になることがなく、防水施工面の美観を向上させることができるといった効果がある。
【００４３】
つぎに本発明にかかる第２の実施形態について図９に基づいて説明する。
【００４４】
この第２の実施形態の防水固定構造は、構造物９と固定金具２の間に、その固定金具２の外周より張り出す態様で補強シート５が設けられ、補強シート５と構造物９の間に、その補強シート５の外周より張り出す態様で接合シート４が設けられ、固定アンカー３により接合シート４、補強シート５、および固定金具２が固定され、その後敷設されたシート防水層１が補強シート５より張り出した接合シート４の外周部４ｂと接合されている。
【００４５】
この構造は、前記第１の実施形態の構造に対して、固定金具２と接合シート４との間に、接合シート４を保護するための補強シート５が介在されている点で異なっている。なお、固定具２、接合シート４、固定アンカー３、およびシート防水層１はそのまま第１の実施形態と同様のものが適用される。
【００４６】
補強シート５は、固定金具２の輪郭より大きく、かつ接合シート４より小さく形成されたシート状の部材である。材質、厚さについては接合シート４と同様のものが適用される。
【００４７】
この第２のシート防水固定構造を得るに当っては、まず接合シート４を被防水施工面の所要箇所に配置し、その上に重ねて補強シート５を配置し、さらにこの補強シート５に重ねて固定金具２を配置し、それらを固定アンカー３により構造物９に固定する。
【００４８】
このとき補強シート５は接合シート４の表面略中央に配置されるとともに、固定金具２は補強シート５の表面略中央に配置される。すなわち、このような配置により、補強シート５より張り出した接合シート４の外周部４ｂと、固定金具２より張り出した補強シート５の外周部５ａが形成される。
【００４９】
補強シート５より張り出した接合シート４の外周部４ｂはシート防水層１との接合代となる。この外周部４ｂは接着、溶着、粘着、または熱融着が可能なほどの大きさであればよく、例えば補強シート５の端部先端から、補強シート５より張り出した接合シート４の外周部４ｂの端部先端までの最短長さを少なくとも１ｃｍ以上とすればよい。さらに好ましくは１ｃｍ〜１０ｃｍとすればよい。
【００５０】
固定金具２より張り出した補強シート５の外周部５ａについては、固定金具２の構造物９側の面における端部をはみ出すほどの大きさであればよい。
【００５１】
その後、その上を覆ってシート防水層１を敷設し、補強シート５より張り出した接合シート４の外周部４ｂとそこに重なり合うシート防水層１とを接合することによって第２のシート防水固定構造が得られる。
【００５２】
この実施形態におけるシート防水固定構造によれば、第１の実施形態が奏する効果に加え、図１０に示すように、接合シート４と固定金具２の間に、固定金具２の外周より張り出す態様で補強シート５が設けられているため、シート防水層１が風圧により持ち上げられ、それに伴い接合シート４が固定金具２の端部に対応する箇所Ｔを押し付ける状態になった場合でも、補強シート５が固定金具２と接合シート４の間に介在して緩衝材としての役割を果たすことから、当該箇所Ｔが起因する接合シート４の損傷や亀裂の発生を確実に防止することができ、そのシート防水固定構造はより長期にわたり防水性能を維持することができるといった効果がある。
【００５３】
つぎに本発明にかかる第３の実施形態について述べる。
【００５４】
図１１は、本発明にかかる第３の実施形態の断面図を示しており、図１２はこの第３の実施形態で使用される接合シート１４、２４を説明するための斜視図を示している。
【００５５】
この第３の実施形態では、上述した第１の実施形態における平板状の接合シート４に替えて、固定金具２より張り出した外周部１４ａ、２４ａを残して、その表面略中央に固定金具２を収容することのできる深さに収容部１４ｂ、２４ｂを形成した接合シート１４、２４を採用したことを特徴としている。
【００５６】
すなわち、その収容部１４ｂ、２４ｂには固定金具２が収容されて図１１に示すように固定アンカー３により固定され、固定された後には接合シート１４、２４の外周部１４ａ、２４ａの表面と固定金具２の表面とは略面一となった状態となる。
【００５７】
これら接合シート１４、２４の形態の一例を示すと、例えば図１２（ａ）に示す接合シート１４は、固定金具２の約２倍の厚さを有し、固定金具２より大きな輪郭で切り抜いたシート防水層１と同材質の平面円形シートを用意し、その平面円形シートの表面中央部を固定金具２が収容できるほどの深さに円柱状に切り出して製作されたものである。また、図１２（ｂ）に示す接合シート２４は、固定金具２とほぼ同じ厚さを有し、固定金具２より大きな輪郭で切り抜いたシート防水層１と同材質の土台部２４１と、この土台部２４１と同じ形状および材質のシート部材の表面中央部を固定金具２が収容できるほどの大きさでドーナツ状に切り抜いた外周部２４２を用意し、それらを貼り合わせて製作されたものである。
【００５８】
このように、図１１に示す本発明の第３の実施形態であるシート防水固定構造によれば、固定金具２と接合シート１４、２４を覆って敷設されたシート防水層１の敷設後の表面が、段差の少ない略平坦状となることから、防水施工面の美観を一層向上させることができるといった効果がある。
【図面の簡単な説明】
【００５９】
【図１】本発明の第１の実施形態にかかるシート防水固定構造を説明するための斜視図である。
【図２】本発明の第１の実施形態にかかるシート防水固定構造を示す断面図である。
【図３】本発明の第１の実施形態にかかる固定金具を示す断面図である。
【図４】本発明の第１の実施形態にかかる接合シートを示す断面図である。
【図５】本発明の第１の実施形態にかかる接合シートを示す断面図である。
【図６】本発明の第１の実施形態にかかる接合状態を示す断面図である。
【図７】本発明の第１の実施形態にかかる接合状態を示す断面図である。
【図８】本発明の第１の実施形態にかかるシート防水層が持ち上げられた際の作用を示す断面図である。
【図９】本発明の第２の実施形態にかかるシート防水固定構造を示す断面図である。
【図１０】本発明の第２の実施形態にかかるシート防水層が持ち上げられた際の作用を示す断面図である。
【図１１】本発明の第３の実施形態にかかるシート防水固定構造を示す断面図である。
【図１２】図１１の接合シートを説明するための斜視図である。
【図１３】従来のシート防水層が持ち上げられた際の作用を示す断面図である。
【符号の説明】
【００６０】
１  シート防水層
２  固定金具
３  固定アンカー
４、１４、２４  接合シート
４ａ、１４ａ、２４ａ  固定金具より張り出した接合シートの外周部
４ｂ  補強シートより張り出した接合シートの外周部
５  補強シート
５ａ  固定金具より張り出した補強シートの外周部
１４ｂ、２４ｂ  収容部
９  構造物
Ｓ  接合部
【図１】
2008297781.tif 000003
【図２】
2008297781.tif 000004
【図３】
2008297781.tif 000005
【図４】
2008297781.tif 000006
【図５】
2008297781.tif 000007
【図６】
2008297781.tif 000008
【図７】
2008297781.tif 000009
【図８】
2008297781.tif 000010
【図９】
2008297781.tif 000011
【図１０】
2008297781.tif 000012
【図１１】
2008297781.tif 000013
【図１２】
2008297781.tif 000014
【図１３】
2008297781.tif 000015